(57)【特許請求の範囲】
【請求項１】
離れて配置されて互いに電気的に接続しない複数の導線を支持する支持媒体を有し、
それぞれの導線は、導線の近くに位置する指の存在を検出するために前記導線の容量を変化させるために、指の近接に反応し、
前記導線の間で支持媒体の面へ向かう磁界を集中させるための前記導線に近接する導電媒体を更に有し、当該導電媒体は、導電媒体の変形なしに、複数の導線を備える郡からなるサブセットの、指の近接により生じる容量の変化を変更するように適合され、
前記導電媒体は、１００Ω／スクエアから１０，０００，０００Ω／スクエアまでの範囲の抵抗値を有し、
前記導電媒体は、前記支持媒体の少なくとも一部を覆う導電層であり、
前記導電層に近接する非導電層を更に有し、当該非導電層は、ユーザの前記導電層への直接的な接触を妨げる、接触パッド。
【請求項２】
前記導電層は、不連続である請求項１に記載の接触パッド。
【請求項３】
前記導電層は、支持媒体の第１表面または誘電媒体の第１表面で支持される請求項１または２に記載の接触パッド。
【請求項４】
前記誘電媒体は、前記導電層の厚さと比較して相対的に大きな厚さを有する請求項３に記載の接触パッド。
【請求項５】
前記支持媒体および導電層は、前記誘電媒体により分離される請求項１〜４のいずれか１項に記載の接触パッド。
【請求項６】
前記導電層は、支持媒体と誘電媒体の間に挟まれる請求項１〜４のいずれか１項に記載の接触パッド。
【請求項７】
前記支持媒体は、導電層と誘電媒体の間に挟まれる請求項１〜４のいずれか１項に記載の接触パッド。
【請求項８】
前記誘電媒体に近接する更なる導電層を有し、導電層と更なる導電層の間に、誘電媒体が挟まれる請求項１〜７のいずれか１項に記載の接触パッド。
【請求項９】
前記導電媒体は、電気的に浮遊し、またはアースに接地される請求項１〜８のいずれか１項に記載の接触パッド。
【請求項１０】
前記導電媒体は、導線または抵抗体により接地される請求項９に記載の接触パッド。
【請求項１１】
前記更なる導電層は、誘電媒体の第１表面と実質的に反対側の第２表面により支持される請求項８に記載の接触パッド。
【請求項１２】
前記更なる導電層は、誘電媒体の第２表面の領域によって分離される複数の電気的に絶縁した導電領域を含む請求項１１に記載の接触パッド。
【請求項１３】
誘電媒体の第１表面上の導電領域と誘電媒体の第２表面上の導電領域は、対応する実質的に重なる領域によって、互いに位置合わせされる請求項１２に記載の接触パッド。
【請求項１４】
誘電媒体の第１表面上の導電領域と誘電媒体の第２表面上の導電領域は、対応するオーバーラップするが完全には重ならない領域によって、互いに位置合わせされる請求項１２に記載の接触パッド。
【請求項１５】
前記位置合わせされた領域は、誘電媒体を介して容量結合される請求項１３または１４に記載の接触パッド。
【請求項１６】
前記導電領域は、実質的に長方形である請求項１１〜１５のいずれか１項に記載の接触パッド。
【請求項１７】
前記複数の導線は、互いに電気的に絶縁される請求項１〜１６のいずれか１項に記載の接触パッド。
【請求項１８】
それぞれの導線は、電気的に絶縁する外被で覆われる請求項１７に記載の接触パッド。
【請求項１９】
前記接触パッドは、非平面構造に配置される請求項１〜１８のいずれか１項に記載の接触パッド。
【請求項２０】
前記接触パッドは、弾力性を有する請求項１〜１９のいずれか１項に記載の接触パッド。
【請求項２１】
前記接触パッドは、変形可能である請求項１〜１９のいずれか１項に記載の接触パッド。
【請求項２２】
接触検出回路および起動回路を有する検知回路を備える請求項１〜２１のいずれか１項に記載の接触パッドを備える接触パッドシステムであって、前記検知回路は接触パッドの状態を測定するために周期的に休止および起動し、休止している際に、接触に反応して検知回路が起動し、接触点の判定のために表面をスキャンする接触パッドシステム。
【請求項２３】
前記接触は、約３マイクロ秒未満で検出される請求項２２に記載の接触パッドシステム。
【請求項２４】
休止時の検知回路の消費電力は、約１０マイクロアンプ未満である請求項２２または２３に記載の接触パッドシステム。
【発明の詳細な説明】
【技術分野】
【０００１】
本発明は接触検出、近接検出器、接触感応表面および装置に関する。
【背景技術】
【０００２】
対象物の接触または近接を検出できる装置についての多くの周知の例が存在する。このいくつかは、対向する関係で保持された２セットの導電体を有する膜スイッチの使用を基礎とし、電気的接続を形成するための２つの導電要素の交点での圧力の発生を必要とする。これらの装置の不利な点は、表面が実際に触れられなければならず、ユーザの指が導電要素の交点と一致しなければならないことである。さらに、膜スイッチは磨耗および引き裂きを受けやすい可動部を有し、したがって、強い検知装置とすることができない。
【０００３】
他の検知装置は、近接検知導線のアレイを使用しており、導線を支持している検知層と接触し、または導線と近接する指の正確な位置を検出するために、導線の容量の変化に依存している。このような検知装置は、ビンステッド（Ｂｉｎｓｔｅａｄ）に与えられた米国特許第６，１３７，４２７号、および図１に示される。そこにおいて、互いに電気的に絶縁された水平および鉛直の検知導線２が、格子構造に配置されて、電気的絶縁膜３で支えられている。膜３と導線２のアレイは、図１の装置のＡ−Ｂ線に沿う側断面図としての図２に示すように、接触パッドの検知層を形成している。指１または類似の対称物が探知層の表面に触れ、または近接すると、この指は、検知層の導線２または導線群の容量に変化を生じさせる。各々の導線２を順々にスキャンするために適切なスキャン装置を使用することにより、導線２の容量の変化を測定でき、したがって、指１の接触または近接が検出される。１つ以上の導線２の容量の変化を検知することにより、指の接触または近接の正確な位置が、導線間の補間により決定される。それゆえに、容量性の装置は、検知導線２間の指１の位置を検出することが可能であり、したがって、前述の膜スイッチ装置と異なり、導線の交点での検出に拘束されない。
【０００４】
しかし、従来の容量性装置の不利な点は、検知導線２が広く離れて配置される場合に、導線間の指１の接触または近接が一般に補間プロセスのために限定されたデータ値だけを生じさせ、それゆえに指の正確な位置の計算にエラーを生じさせるため、問題が生じることである。
【０００５】
さらに、従来の容量性装置は、掌が誤って接触動作と特定されえる強い信号を生じさせるため、掌が装置のすぐ上に保持されるときはいつでも信号が発生するという更なる問題を被る。ユーザは、次に起こる真の接触動作を決定される間に、装置に関して絶えず手の位置を気にしなければならないため、特に不利となりえる。
【０００６】
本願明細書の全体にわたって、’指（ｆｉｎｇｅｒ）’に対する言及は、容量検知によって検出が可能な、局所的に容量をある程度変えることができる物を含むものと理解される。さらに、’接触（ｔｏｕｃｈｉｎｇ）’または’接触動作（ｔｏｕｃｈｉｎｇ  ａｃｔｉｏｎ）’との言及は、表面の物理的接触および指を表面の近傍に持っていくことの両方を含んで理解される。
【０００７】
本発明の目的は、上述の問題の少なくともいくつか、または全てを解決することにある。
【発明の開示】
【０００８】
本発明は、システムの即座の容量環境の変更手段を有する接触検出システムの構成を中心としている。この手段は、容量の変化が容量結合（ｃａｐａｃｉｔｉｖｅ  ｃｏｕｐｌｉｎｇ）の高レベルにより伝わるように適合され、または導電性によって直接的に伝わることができるように適合される。あるいは、この手段は、これらの電気的効果の両方を補助するために適合される。
【０００９】
本発明の一態様は、システムの接触検出の正確性と速度を改良するために、容量接触検出システムの導線の第１群および第２群のサブセットの迅速な容量環境を変更する方法を提供する。
【００１０】
本発明の他の態様は、近接検出システムの接触検出の傾向を制御するための電気抵抗環境の混合物を提供する。
【００１１】
本発明の他の態様は、近接検出システムの検出環境を物理的に変えるために、導電性であり、および／または容量的に結合された媒体を提供する。
【００１２】
本発明の他の態様によれば、離れて配置されて互いに電気的に接続しない複数の導線を支持する支持媒体を有し、それぞれの導線は、導線の近くに位置する指の存在を検出するために前記導線の容量を変化させるために、指の近接に反応し、前記導線の間で支持媒体の面へ向かう磁界を集中させる手段を更に有する、接触パッド装置が提供される。
【００１３】
本発明の他の態様によれば、本発明の第１の態様の接触パッドを備える接触パッドシステムが提供される。この接触パッドシステムは、接触検知および起動を行う回路と、接触パッドの状態を測定するために通常休止し周期的に起動する位置検知回路と、を有し、接触に反応して、接触検知回路が位置検知回路を起動させ、そして位置検知回路が接触位置を判定するために表面をスキャンする。
【００１４】
以下、添付図面を参照して例示しつつ、本発明の実施形態について説明する。
【００１５】
図１は、接触パッドのための検知電線構成の平面図を示す。
【００１６】
図２は、図１の接触パッドのレイアウトを通って、Ａ−Ｂ線に沿う従来の接触パッドの側断面を示す。
【００１７】
図３〜１１は、図１の接触パッドのレイアウトを通って、Ａ−Ｂ線に沿う本発明の接触パッドの他の実施形態を示す側断面である。
【００１８】
図１２は、本発明の誘電体の表面上の電気的に絶縁した導電領域の構成を示す平面図である。
【００１９】
図１３は、図１２のＡ−Ｂ線に沿う構成を示す側断面図である。
【００２０】
図１４は、本発明の誘電体の表面上の電気的に絶縁した導電領域の他の構成を示す平面図である。
【００２１】
図１５は、図１４のＡ−Ｂ線に沿う構成を示す側断面図である。
【００２２】
図１６は、本発明に記載の誘電体の第１および第２表面上の電気的に絶縁した導電領域の更なる構成を示す平面図である。
【００２３】
図１７は、図１６のＡ−Ｂ線に沿う構成を示す側断面図である。
【００２４】
図１８は、本発明の接触パッドと共に用いられるための伝導性ブリッジに接続された伝導領域のパターンの平面図を示す。
【００２５】
図１９、２０は、本発明の実施形態の接触パッドの構成を示す側断面である。
【００２６】
図２１は、本発明の一実施形態の接触パッドの構成を示す部分側断面図であり、テクスチャ表面を示す。
【００２７】
図２２は、本発明の接触パッドの接地された導電媒体の概略図を示す。
【００２８】
図２３は、本発明の接触パッドを用いた検出システムの概略的な実施形態を示す。
【００２９】
図２４は、本発明の他の実施形態の接触パッドの構成を示す側断面図であり、接触パッドの間隔またはギャップを示す。
【００３０】
図２５は、本発明の一実施形態の接触パッドの他の構成を示す斜視図である。
【００３１】
図２６〜３１は、本発明の実施形態の他の接触パッドの構成を示す平面図である。
【００３２】
図３を参照して、本発明の接触パッドの一実施形態を示す。接触パッドは、図１の接触パッドのレイアウトのＡ−Ｂ線に沿う側断面に示され、検知導線２のアレイと、例えば膜３である支持媒体と、検知導線２の間を支持膜３の面の方へ通過している電界を集中させるための手段４と、を備えている。
【００３３】
検知導線２は、米国特許第６，１３７，４２７号にて説明される形式であり、平行に間隔を開けた導線が第１群および第２群として配置され（図１参照）、それぞれの導線は一端または両端で適当に接続され、それぞれの群は直交するが互いに電気的に接続されない。第１群および第２群の導線２は、このように複数の交点を形成する。導線２は、好ましくは、接触パッドの特定の用途に依存する厚さを有する導電性の線である。たとえば、接触スクリーンの用途では、線は、好ましくは実質的に目視できずに直径２５ミクロンより小さく、より好ましくは、直径約１０ミクロンから２５ミクロンまでの間である。他の用途では、例えばインタラクティブな石造ブロックのように、線は直径約１ｃｍの補強された鋼棒である。線は、銅、金、タングステン、鉄、炭素繊維、または他の合理的に良好な導体からも成形できる。例えば、線は、好ましくは線をエナメルまたはプラスチック外被で覆うことによって電気的に絶縁される。
【００３４】
あるいは他の実施形態において、導線２の第１群と第２群は、銀を基礎とする導電性インクのような材料から作られることも可能である。接触パッドが適当な表示システムの前で使用される際の導線２の可視性が低い場合には、比較的広い（約２５０ミクロンから約１０００ミクロンまで）インジウムスズ酸化物の痕跡（ｔｒａｃｅｓ）がその代わりに使われる。
【００３５】
更なる他の実施形態において、導線２の第１群と第２群はまた、プリント回路基板上の銅のトラック（ｔｒａｃｅｓ）、またはＴＦＴマトリックスの比較的細かいアルミニウムまたは銅のトラックで形成されることもできる。
【００３６】
当然のことながら、導線２が予め支持膜３に先に取り付けられるように（それ自体の構造的完全性を有して）予め成形されることができ、または、支持のために膜上へ置かれるそれ自体では支持できない導線とすることもできる。
【００３７】
導線２を他の導線のそれぞれ及び周囲の媒体から電気的に絶縁する何らかの適切な方法が使われることが好ましく、誘電性（例えば、プラスチックまたは薄いガラス）外被または局所的な誘電サンドイッチ層（図示せず）を用いる方法を含むが、これらに限定されない。
【００３８】
好ましい実施形態において、導線２の厚さは同じ群の近接した導線の導線間（ｉｎｔｅｒ−ｃｏｎｄｕｃｔｏｒ）の間隔と比較して小さいく、導線間の間隔は、近接する導線の対の各々で同じである必要はない。本発明によれば、たとえば、直径１０ミクロンの導線のための導線間の間隔は、例えば約５ｃｍから約１０ｃｍの範囲内であることが好ましく、その一方で、従来の接触パッドの構成では、対応する間隔は約１ｃｍであることが必要である。しかし、導線間の間隔は接触パッドの特定の用途に依存し、したがって、例示した範囲に制限されるものではない。
【００３９】
他の実施形態において、導線２の第１群および第２群は平行である必要はなく、第１群と第２群が相互に直角である必要もない。
【００４０】
本発明の全ての実施形態において、検知導線２は、指１の存在を検出するために、１つ以上の導線の電気容量環境を変える指１の近接に敏感に反応する。
【００４１】
膜３は、導線２の第１群および第２群のための支持媒体として作用し、好ましくは、例えば適切な誘電体のような電気的絶縁材料から作られる。好ましい実施形態において、導線２の第１群および第２群は、好ましくは膜３の１つ以上の側面から突き出る適当な端部接続部を除いて完全に膜３に包含される。これらの端部接続部は、適切なスキャン装置に検知導線を接続するために用いられる。
【００４２】
膜３の好ましい厚さの範囲は、接触パッドの特定の用途に依存する。例えば、接触スクリーンの用途では、線が主としてガラス膜に埋め込まれ、厚さは約４ｍｍから約１２ｍｍまでとすることができる。キーパッドの用途では、膜は約１ｍｍの厚さとすることができる。膜が例えばインタラクティブウォールの一部を形成する石造ブロックに埋め込まれる場合、膜は約１０ｃｍの厚さとすることができる。しかし、当然のことながら、膜３の厚さは接触パッドの要求（例えば、感度と柔軟性）に従い変更されることができる。
【００４３】
本願明細書の全体にわたって、膜３と検知導線２の組合せを’検知層’と称する。
【００４４】
膜３は平坦、または平面的構造であることに限定されず、実際に、膜３は本発明にしたがって、非平面的、湾曲的、または角のある構造として配置できる。それゆえに、この明細書における”膜の平面”との言及は、支持媒体の平坦および非平坦な構造の両方を包含するものであり、膜３の表面に沿う特定の点で定義される平面の方向は、この点の接線の方向に実質的に一致する。したがって、膜の平面は、膜の形状に沿う表面外郭である。
【００４５】
再び図３を参照すると、膜３の平面へ検知導線２の間の電界を集中させる手段４が、導線２の第１群および第２群に近接して示される。好ましい実施形態において、手段４は電気導電媒体である。媒体の導電性によって容量変化が直接広げられるように構成されている。これらの実施形態において、導電媒体４は、好ましくは１００Ω／スクエアから１０，０００，０００Ω／スクエアの範囲の抵抗値を有する。広い間隔は、指の位置の信頼性の高い補間を得るために、指により誘導される容量変化を十分に強調するための低い抵抗値を必要とするため、導電媒体の望ましい抵抗値は、検知導線２間の導線間の間隔に依存する。
【００４６】
他の好ましい実施形態において、導電媒体４は容量結合を介して容量変化を伝えるために構成される。そこにおいて、媒体の抵抗値は少なくとも１，０００，０００，０００Ω／スクエアである。好ましい実施形態において、導電媒体４は、膜３の少なくとも一部を覆う導電層４の形状である。導電層４は、直接的または間接的に膜３を覆い、膜材料の効力および／または検知導線の電気的絶縁により、検知導線２から電気的に絶縁される。
【００４７】
導電層４は、約２５ミクロンから約５ｍｍの範囲の好ましい厚さを有し、好ましくは、一般的な接触パッドの構成において約１ｍｍから約２ｍｍの厚さである。しかし、より薄い層はより厚い層と比較してより高い抵抗値を有するため、導電層４の厚さは導電層４内で要求される抵抗値に従って変更されることが好ましい。
【００４８】
好ましい実施形態において、導電層４は、膜３の外部表面上へ直接配置され、その上で支持される。導電層４は従来技術により配置され、電気メッキ、スパッタ・コーティング、塗装、スプレー塗装、そして導電性インクを用いたスクリーン印刷／インクジェット等が使用できるが、これらに限定されない。
【００４９】
あるいは、導電層４が別個のラミネートとして形成される場合、層４は何らかの硬化性または非硬化性の導電性接着剤を用いて膜の外部表面に接着される。
【００５０】
他の実施形態において、支持媒体の機能は電界を集中させるための手段により提供され、この集中手段は、検知導線のための支持部としても作用する。特定の例として、例えば非導電性粘着テープまたは非導電性接着剤を用いる集中手段へ接着される線がある。
【００５１】
本発明の一態様において、導電層４は、検知導線２の接触検知が膜３の表面外郭に実質的に一直線に並べられることを強制する電気抵抗および容量の特性を有する。導電層は、好ましい実施形態においては、膜３の表面外郭に沿う導電層の表面に沿って、接触検知を実質的に一直線に並ばせる方法により、指に起因する容量領域を歪める。
【００５２】
図３を再び参照すると、導電層４の存在が検知導線２の間の電界を膜３へ向かって集中される作用を果たし、これにより、指１が導電層４に接触し、または非常に近くへ来る場合に、指によって既存の容量値より上に約０．５％から約５％の電気容量の変化が引き起こされる。この容量の変化は、導電層４により強調される強い容量信号として、検知導線２によって直ちに検出可能である。誘導された信号は、導電層の存在によって、膜３へ向かう検知導線の電界が集中されるため、このような層が存在しない場合と比較してかなり大きい。容量信号は、接触点からの距離の増加とともに減少する強さを有して、接触点から放射状に広がる。導電層４が層の導電性により容量変化を直接伝えるたように構成される実施形態において、容量信号の減衰する比率は、層の抵抗値に関係することがわかる。つまり、高い導電性（低い抵抗値）の層は層のより広い領域に亘って信号を広げ、反対に、低い導電性（高い抵抗値）の層はより小さな領域へ信号を広げる。導電層４が厚さおよび空間的範囲において均一である場合、容量信号は接触点から全方向に均一に広がる。
【００５３】
導電層４の中の抵抗値の何らか変化は、信号の広がりの直線性に影響を及ぼす。しかし、使用可能な抵抗値の範囲が比較的大きいため、抵抗値の比較的小さな変化は、信号の広がりに実質的に検知されない効果を生じさせる。
【００５４】
しかし、いくつかの実施形態において、容量信号が広げられる方法にある程度制御を及ぼすために、導電層４が、他の導電性の低い部分と比較して大きな導電性を有する部位を有することは有効である。伝導率の変化は、好ましくは、導電層４の化学成分を変更することによって、層の厚さに変化を有することによって、またはこれらの技術の組合せを用いることによって達成される。
【００５５】
導電層４は、導電性のない部位（すなわち、高い抵抗値を有し、本質的に電気的に絶縁する部位）、低い導電性を有する部位、中間の導電性を有する部位、および高い導電性を有する部位を含んで、導電性の異なる複数の部位で構成されることができる。
【００５６】
導電層４は、１００，０００，０００Ω／スクエアよりも低い抵抗値を有することが好ましく、更には、１０，０００，０００Ω／スクエアよりも低いこと好ましい。一方、誘導された容量信号がひどく減少すると、信号検出の利点が実質的に減少する。
【００５７】
好ましい実施形態において、図３の実施形態に示すように、導電層４は直接的に接触されることができる。この構成の接触パッドの感度は、ユーザが薄い手袋を着けた状態で接触動作を行えるほど十分に高く、この装置が、例えば化学実験室や手術室のように何らかの手の防備をユーザに要求する環境下で使用される場合や、油や埃から装置を保護することが好ましい場合に有効である。
【００５８】
他の好ましい実施形態において、接触パッドは、導電層４に近接する非導電層５を有する。好ましくは、非導電層５は、図６に示すように導電層４上へ配置される薄いコーティングの形態であり、導電層４へのユーザの直接の接触を妨げる。これは、損傷から導電層４を保護するために用いられ、および／または装置に反射防止仕上げを提供できる。非導電層はまた、純粋に装飾的とすることもでき、またこの場合、例えばキーパッドとして使用でき、層にはキー等の位置を示すアイコンやシンボルを印刷できる。この構成では、指１が非導電層５に接触して導電層４により広まる容量の変化を生じさせ、これにより下にある検知導線２により検出される。
【００５９】
他の実施形態において、図４に示すように、導電層４は膜３の下側に配置され、導電層４の反対側の膜３の側で指１が接触または近接される。この構成において、指１の接触動作または近接が膜の表面上、またはその近くで検知されるように、検知導線２の間を膜３の方へ通過する電界を集中させることによって、導電層４が検知導線２の容量環境を変更するようにさらに実施作可能である。しかし、導電層４が直接に接触されないため、誘導される容量信号は前述の実施形態ほど強くない。
【００６０】
図４の実施形態は、導電層４がユーザの指１との直接の接触から保護され、したがって正常な使用の間の損傷および／または摩損、および引き裂きを受け難いため、有効となりえる。
【００６１】
他の実施形態において、図５に示すように、膜３と導電媒体４は、単一の導電性の支持検知層４Ａに結合されることができる。この構成において、支持検知層４Ａは、好ましくは、接触動作時に非常に強い容量信号を発生させるバルク的な導電性を有するドーピングされた媒体であるバルクから形成される。好ましくは、ドーピングされた媒体であるバルクは、導電性材料のドーパントを含むガラスまたはプラスチックである。
【００６２】
従来の純粋な導電性プラスチックは、通常１，０００，０００，０００Ω／スクエア程度の非常に高い抵抗値を有するが、少量の導電性の微粒子（ｐａｒｔｉｃｌｅｓ）、プレートレット（ｐｌａｔｅｌｅｔｓ）、または繊維（ｆｉｂｒｅｓ）を加えることによって抵抗値を減少できる。これらの微粒子または繊維は、一般には透明ではなく、目に見えないように十分に小さいことが好ましい。微粒子は、例えば銅、金そして銀のような金属とすることができ、また、金属酸化物であってもよい。あるいは、黒鉛や他の導電性物質を用いることもできる。これらの微粒子が目に見えないままとする場合には、粒子は一般的に約１０ミクロン幅以下である。繊維は、炭素繊維またはナノチューブとすることができる。これらの繊維は短く（約１０ｍｍの長さまで）、そしてプラスチックの全体にわたって不規則に方向付けられる。あるいは、繊維がより長く、そしてシート状にゆるく織られてプラスチックに入れられてもよい。
【００６３】
非導電性プラスチックスもまた同様に、バルク的な導電性を有する媒体を製造するために導電性材料がドーピングされることができ、または容量結合を変更されることができる。
【００６４】
微粒子状および／または繊維状のドーパントの必要な量を選定することにより、導電性プラスチック・シートは、必要な抵抗値の範囲で製造されることができる。この範囲において、プラスチック内の微粒子と繊維は、プラスチックの支持基質によって、電気的にまたは容量的にリンクされる。
【００６５】
ドーピングされたプラスチックスは、例えば、ラミネーション、真空成形および射出成形のような従来技術を用いて形成可能であるが、これらの方法に限定されない。
【００６６】
図５で示す実施形態において、検知導線２は、好ましくは支持検知層４Ａ内に完全に含まれる。しかし、導線２が好ましくは電気的に絶縁されるため、層のバルク的な導電性に起因する導線２の短絡が防止される。
【００６７】
図５に示すように、支持検知層４Ａは直接接触され、引き起こされる導線２の容量変化は層の全体にわたって容量信号として伝えられる。この構成において、大きな容量信号は、支持検知層４Ａ内で存在している導線２により引き起こされる。高くドーピングされた媒体は、層の比較的に小さな体積の全体にわたって信号を伝える低くドーピングされた媒体と比較して、層のより大きな体積の全体にわたって信号を伝える固有の高導電率を有するため、容量信号の広がりは、ドーピングされた媒体の抵抗値または内部容量結合を予め選定することによって制御できる。
【００６８】
本明細書の全体にわたって使用される’近接した（ｐｒｏｘｉｍａｌ）’の用語は、導電媒体４が、検知層から離れた１つ以上の導電層４を備える構成と、導電媒体４が、検知導線２が配置される結合された支持検知層４Ａの材料要素である構成と、を含んで理解される。
【００６９】
図７〜１１を参照すると、本発明に係る接触パッドの他の好ましい実施形態が示される。図７には、膜３と導電層４を分離するために配置される誘電媒体６を有する接触パッドが示される。誘電媒体６は、例えばプラスチックやガラスのような何らかの適切な非導電媒体により作成されるが、材料はこれらに限定されず、そして導電層の厚さと比較して、比較的大きな厚さを有している。誘電媒体の好ましい厚さの範囲は、接触パッドの特定の用途に依存する。たとえば、電子決済ＰＯＳマシン（ｅｐｏｓ  ｍａｃｈｉｎｅ）は、約３ｍｍから約４ｍｍのガラス厚さを有し、一方で、ＡＴＭマシンは約１２ｍｍのガラスを有している。接触パッドが、携帯型コンピュータ・デバイス（例えば、ラップトップコンピュータ等）のケースを介して操作される場合、誘電体（すなわちケース厚さ）は約１．５ｍｍである。
【００７０】
誘電媒体６の利点は、接触パッドの構成のために増加された支持および強度と、導電層４のための強化された容量結合とを有する。
【００７１】
好ましい実施形態において、導電層４は、例えば、何らかの従来技術を用いて誘電媒体６の外部表面上へ直接に配置されてその上に支持され、この配置方法としては、電気メッキ、スパッタ・コーティング、塗装、スプレー塗装、そして導電性インクを用いたスクリーン印刷／インクジェット等が使用できるが、これらに限定されない。
【００７２】
あるいは、導電層４が別個のラミネートとして形成される場合、層４は何らかの硬化性または非硬化性の導電性接着剤を用いて誘電媒体の外部表面に接着されることができる。
【００７３】
図７に示すように、ユーザは、膜３の検知導線２の容量の変化を引き起こすために、誘電媒体６で支えられる導電層４に接触する。
【００７４】
他の実施形態では、図８に示すように、図７に示すような構成に更に、損傷および／または摩損、および引き裂き等から導電層４を保護するための薄い不導電性層５を有している。
【００７５】
一例として、接触パッドが、非導電層５として作用するショーウィンドウに取り付けられる逆投影接触スクリーン（ｂａｃｋ  ｐｒｏｊｅｃｔｉｏｎ  ｔｏｕｃｈ  ｓｃｒｅｅｎ）の一部を形成する。この例では、ショーウィンドウは、約１２ｍｍ、または２重ガラスであれば２５ｍｍの厚さのガラスを有している。接触スクリーンは、好ましくは７５ミクロンで作成されたフィルム型ポリエステル・スクリーンを有し、約２５ミクロンの硬化性または非硬化性の導電性接着剤を用いてガラスの外側に接着される。ポリエステル・スクリーンの最上層は、表示画面および接触表面として機能する。
【００７６】
更なる実施形態において、導電層４は、図９に示すように、好ましくは膜３と誘電媒体６に挟まれる。この構成において、導電層４は誘電媒体６によって損傷から保護され、これはまた、接触パッド構造に付加的な強度と支持を加える。ユーザは、一つ以上の下方に存在する検知導線２の容量変化を誘導するために、直接に誘電媒体６に接触することができる。この容量変化は、挟まれた導電層４の存在によって強化される。
【００７７】
更なる実施形態において、図１０に示すように、膜は好ましくは導電層４と誘電媒体６に挟まれる。
【００７８】
他の好ましい実施形態において、図１１に示すように、更なる導電層４’が接触パッドに含まれる。更なる導電層４’は誘電媒体に隣接し、好ましくは、最初の導電層４と接触する内部表面を有する誘電媒体６の外部表面上へ、従来技術により配置される。それによって、誘電体が２つの導電層４、４’の間に挟まれる。更なる導電層４’の存在は、誘電媒体６の反対側にある検知導線２の電界を媒体に向かって集中させ、結果として、誘電体を介して非常に強い容量結合を提供し、検知導線２による接触動作に対する非常に迅速な反応を与える。更なる導電層４’は、好ましくは、最初の導電層４と同じ材料から形成され、または、何らかの適切な導電材料から形成される。
【００７９】
図３〜１１に関して表される実施形態が、本発明の接触パッドの好ましい実施態様であることが好ましく、事実、導電層および／または誘電体のどのような数や組み合わせも、本発明に係る接触パッドを生産するために使用されることができる。したがって、層と媒体の成層構造は、制限されない。
【００８０】
本発明の接触パッドのある特定の用途は、データの表示および入力のための接触スクリーンである。しかし、これは、後方の表示システムがユーザに見えるように検知層と導電層４が透明である必要があるため、導電媒体４に使用される材料に制限を与える。
【００８１】
好ましくは、インジウムスズ酸化物（ＩＴＯ）またはアンチモニースズ酸化物（ＡＴＯ）のような透過性導電材料が使われ、図３〜１１に関して説明された実施形態にしたがう膜３または誘電体６の表面上へ配置されることができる。しかし、これらの酸化材料の不利な点は、一般的に、本発明に用いるための材料の抵抗値範囲外となる抵抗値を伴って製造されることである。酸化物は、一般的に、導電層４に導電性を与える１０Ω／スクエアの抵抗値を有し、これは大き過ぎて誘導された容量信号があまりに広い領域に広がり、それによって接触点の位置の正確な判定が妨げられる。
【００８２】
この問題を解決するために、ＩＴＯまたはＡＴＯを含む導電層４は、好ましくは従来のマスク技術を用いて、部分的に離れてエッチングされ、または不完全な層として配置される。それゆえに、導電層４は、好ましくは不連続である。
【００８３】
好ましい実施形態において、ＩＴＯまたはＡＴＯの材料は、複数の電気的に絶縁した導電性の’島（ｉｓｌａｎｄｓ）’または領域７に構成される。これらの導電領域７は、表面が導電層４を支持している膜３または誘電媒体６の外側表面の領域６によって切り離される。導電領域７は、接触パッドの特定の用途に応じて、規則正しいパターンに配置され、またはランダムに配置されることができる。しかし、本発明が機能するためには、下方に存在する検知導線２のパターンと厳密に対応させて領域を配置する必要はない。
【００８４】
各々の導電領域７は、その導電領域の近くで検知導線２の電界を集めるために作用し、それによって、領域の近くの指の近接により生じる容量変化を強調する。
【００８５】
接触パッドがキーパッドとして使われる場合、導電領域７は、対応するキーの位置と重なるように配置されることが好ましい。導電領域７のサイズと形状は、キーのサイズおよび形状と実質的に同じように選択されることが好ましい。
【００８６】
このような配列は図１２に示され、導電領域７は様式化されたキーパッドの形で配置される。導電領域の間に間隔が設けられ、この間隔は導電領域７の幅と比較できるように選定されており、すなわち、導電領域７は広く離れて間隔を置かれている。
【００８７】
この構成において、指１が導電領域７の１つに接触する場合に、容量変化は誘電媒体６を介して検知層によって検出される。しかし、このような導電領域７の使用は、接触点の正確な位置を判定することができなくなるが、その代わりに、接触時の強い量子化された信号を提供し、適当なスキャン装置が、どの導電領域７がいつ接触されたかを容易に判定することを可能とする。この効果によって、不連続な導電層４が座標位置指示計として使用されることが可能となる。
【００８８】
しかし、近接する導電領域７間の強い容量結合を達成するために、導電領域７の間の分離は、近接する導電領域７の間で短絡を生じさせずにできるだけ小さく作られねばならない。導電領域７のサイズは、接触パッドにおいて要求される解像度により決定され、好ましくは解像度の約半分である。例えば、５ｍｍの解像度が要求される場合、導電領域は、近接する領域間の約１００ミクロンの間隔を有する約３ｍｍ×３ｍｍ（すなわち正方形領域）でなければならない。この構成において、近接する導電領域７間の導電が可能ではなく、したがって、導電層４は、全体としてそれ自体が導電媒体として作用せず、代わりに、導電領域が非常に強い容量結合によって結合される。この構成の導電層４の抵抗値は、全体として、１０億Ω／スクエアオーダーである。図１４の好ましい実施形態において、導電領域７は近接して配置され、そして図１５に図示されるように、近接する導電領域７は容量結合され、それによって、引き起こされた容量信号が、接触点を囲んで近接する近傍に分散されることを可能にする。近接する容量結合は、容量信号を増加させ、信号を分散させる補助をする。容量信号は、誘電体６を介して広がり、下に存在する検知層内の検知導線２の容量環境に、対応する変化を生じさせる。
【００８９】
図１１に示す実施形態に関して述べられるように、この効果は、２つの導電層４、４’を使用することにより改良できる。本実施形態において、図１６、１７に示すように、両方の導電層のそれぞれが複数の電気的に絶縁した導電領域７、７’を有して不連続となっており、そして、たとえばＩＴＯまたはＡＴＯの透過性酸化物の配置によって形成される。好ましくは、更なる導電層は誘電媒体６の実質的に反対の表面で支持され、それによって、更なる導電層が誘電媒体６と検知層の間に挟まれる。更なる導電層の導電領域７’は、誘電媒体６の反対面の領域によって分離される。
【００９０】
好ましくは、導電層の導電領域７と更なる導電層の導電領域７’は、実質的に全体が重なるように構成され、すなわち、両方の層が、実質的に一直線に並べられた同様の格子状パターンを有している。
【００９１】
あるいは、導電層の導電領域７と更なる導電層の導電領域７’は、実質的にオーバーラップするが完全には重ならないように構成され、すなわち、両方の層が、同様のキーパッドパターンを有するが、異なるアライメントを有している。この構成は図１６、１７の実施形態に示されており、誘電媒体６の両側上の、近接してオーバーラップする導電領域７、７’が、誘電体を介して強く容量結合され、接触により誘導される容量信号の強さを強調させる。
【００９２】
本願明細書において、２つの導電層間で一致する導電領域７、７’の領域の範囲（ｍａｐｐｉｎｇ）は、’レジスター（ｒｅｇｉｓｔｅｒｉｎｇ）’と言及される。
【００９３】
図１２〜１７により例示されるように、好ましい実施形態は、長方形の導電領域７、７’を有する様式化されたキーパッドを示しているが、これに限定されるものではなく、例えば円形、三角形、台形または六角形等の他の幾何学形状を領域形状のテンプレートとして用いることもできる。
【００９４】
他の実施形態において、ＩＴＯ層の全体としての抵抗値は、薄くてより抵抗値の高い層を製造するために、好ましくは、配置された導電層の厚さの一様なエッチングを多くすることによって、本質的に低い値の１０Ω／スクエアから必要な範囲まで増加される。たとえば、層の厚さの９９％がエッチングされる場合、１０Ω／スクエアの層は、１０００Ω／スクエアの層となる。
【００９５】
あるいは、好ましくは、導電層４の一部が、例えば図１８に示すように、残されたＩＴＯ材料の細いブリッジ８によってリンクされた複数の導電領域を残して完全にエッチングされてもよい。好ましくは、導電領域７は、導電性ブリッジ８の幅と比較して相対的に大きな幅を有する。エッチングされた導電層の抵抗値は、好ましくは、導電領域７の厚さと比較して導電性ブリッジ８の厚さをエッチングすることによって、更に増加される。
【００９６】
上記の実施形態がＩＴＯ材料の使用を述べているが、異なる透明度を有する他の導電性材料を同様の方法で用いてもよい。図１９、２０を参照すると、本発明の接触パッドの２つ実施形態が示されており、接触パッドは、好ましくは、例えば曲線、ドームまたは直角の構成である非平面構造で配置される。検知導線２間の実質的に線形の補間の代わりに、前述の実施形態として、非平面の導電層４においては、補間が層４の形状または表面外郭を基礎として実行される。これは、層がボックスの角部や他の尖った部位の検知導線２の間で通過する電界を膜３の方へ集中させるように作用するため、ボックスの角部や他の尖った部位が検知領域として作用するように他の領域が接触に反応し難いという利点を与える。非平面の接触パッドの構成において、補間は、導電層４の表面外郭に実質的に並んで実行される。補間が導電層４の表面外郭全体で実行されるため、先端領域で導電層４が膜３または誘電媒体６と接触している必要はなく、小さなエアーギャップや間隔等（図２４参照）は接触位置の判定にそれほど大きく作用しない。
【００９７】
接触パッドは、真空成形、射出成形、およびこれらに限定されない他の従来技術を用いて、二次元および三次元的形状に形成できる。接触パッドは、弾力性を有し、または変形可能であり、そして使用される材料に依存して要求される柔軟度を有することができる。
【００９８】
このように、本発明により、多くの異なる２Ｄおよび３Ｄの接触インタラクティブ（ｔｏｕｃｈ  ｉｎｔｅｒａｃｔｉｖｅ）な材料および製品を製造することが可能である。たとえば、本発明は、接触インタラクティブである射出成形されたケースを備えた携帯電話を生産するために使われることができ、したがって、付加される別個のキーパッドおよび／または接触スクリーンが必要とされない。これらの用途のために、導電媒体４は不透明であり、したがって、表面および／またはバルクの導電率を有する材料を含む、多くのより導電性のある材料の使用が可能である。
【００９９】
接触検知領域および非接触検知領域は、検知導線２を区画し、そして同じ射出成形部材に導電性および非導電性の透明および不透明プラスチックを有することにより、同じ射出成形部材に存在できる。このようにすることによって、前部、後部、側部、頂部、底部、そして全ての端部および角部が、接触に反応するように作成できる。表面は、接触スクリーン、キーパッド、デジタイザ・タブレット（ｄｉｇｉｔｉｓｉｎｇ  ｔａｂｌｅｔｓ）、または必要に応じて他の機能に変更できる。
【０１００】
他の実施形態において、導電層４は、導電性繊維、導電性ゴム、導電性発泡体、電解液（例えば海水）、導電性の液体またはゲル、または、プラズマのような導電性の気体でさえありえる。しかし、これらの材料のいくつかは、材料のために位置を維持しそして保護するための外側膜のような、閉じ込め手段の形状を必要とする。接触された際に抵抗値を歪め、または変更させる導電媒体は、圧力が適用される場合に歪めない媒体と比較して、誘導される容量信号をより強く増加させ、より大きな圧力検知解像度が実現されるという更なる利点を有する。これは、例えば加速ボタン（ａｃｃｅｌｅｒａｔｏｒ  ｂｕｔｔｏｎ）のような、特定の機能を作動させるために用いられる異なる圧力を必要とする接触パッドの用途において、有効である。しかし、弾性的に歪められる材料は、一般的に操作寿命が減少するという不利な点がある。実際には、より大きな圧力が付与されると、指先はそれ自体が変形し、そして材料自体は変形することなく、接触パッドによってこの圧力が検出されることができる。
【０１０１】
図５に関係して説明されたような導電性の支持検知層４Ａが、図１９に示されるような非平面構造に形成される場合に、米国特許第６，１３７，２４７号にて説明されるような純粋な誘電体システムが用いられる場合には検出が不可能となる点においても、層は容量検出システムを変更させ、指１が検出されることが可能となる。図２０に示すように、検知導線２が接触点から相対的に離れているにもかかわらず、非平面の接触パッドの端部および角部は、まだ接触動作の検知を実施可能である。
【０１０２】
接触パッドの表面は、好ましくは平坦で、および／または曲がっており、および／または図２１に示すように、表面に例えばディンプル、溝または穴等のようなテクスチャ（ｔｅｘｔｕｒｉｓａｔｉｏｎ）を有する。表面の歪みによって接触点が変更されるにもかかわらず、その一方で、検知層によって正確に検出される。図２１に示されるディンプルは、導電層４から、例えば約１ｍまたはそれ以上の距離を伸延できる。ディンプルの先端は、例えば電線のような適当な導線により導電層４に接続される（図２５参照）。ディンプルの先端への接触は、導電層４の線が接続された位置を接触するのと同じ効果を有する。線は、電気的または容量的に導電層４に接続される。
【０１０３】
好ましい実施形態において、検知導線２または何か適当なスキャン装置と電気的接続を有しないという点で、導電媒体４は電気的に浮遊している。あるいは、導電媒体は、図２２に示すように、例えば導線のような電気的接続１３により直接的に、または抵抗体により設置されることができ、したがって、導電媒体４が帯電防止や端部シールド表面という二次機能を果たすことを可能とする。
【０１０４】
本発明の接触パッド用としての適切なスキャン装置は、欧州特許第０１８５６７１号において、そして特に米国特許第６，１３７、４２７号において述べられている。スキャン装置は、アナログ・マルチプレクサ・シーケンスにしたがって検知導線２の第１群および第２群の各々の導線を交互にサンプリングし、それぞれの容量値をメモリーに格納する。これらの値は、接触の事象を検知するために、前のスキャンからの基準値と比較され、そして他の導線からの同じスキャンでの他の容量値と比較される。接触の事象は、有効であるためには閾値より上になければならない。いくつかの閾値を有することによって、接触の圧力、または指１が接触パッドの表面から離れた距離を判定することが可能となる。
【０１０５】
電池または太陽電池が使われる場合、接地接続は利用できず、したがって、導電媒体４はスキャン装置の０ボルトのラインに接続され、または、実際に接触パッドが浮遊しているため正のラインに接続できる。米国特許６、１３７，４２７号において述べられるスキャン装置は、いつ接触されたかを判定するための参照グラウンドがあることに依存する。電池動作システムは、現実のグラウンドを有さず、グラウンドとして作用するシステムのバルク性に依存する。この状況は、すぐ近くに利用可能な接続手段として作用する金属加工品の形体があれば、改良される。導電媒体４を０ボルトのラインに接続することは、金属加工品の代わりとして作用する。接触パッドのユーザが導電媒体に接触し、または近接する場合に、ユーザがグラウンドリファレンスとして作用するため、その効果が大きく改善される。たとえば、携帯電話のケース全体が導電媒体である場合、電話を保持する作用が、非常に有効なグラウンドとして役立つ。携帯電話の全ての表面、端部および角部は、実際に、接触インタラクティブに作られることができ、そしてユーザに保持される部品は、キーパッドとして非活性的（ｄｅ−ａｃｔｉｖａｔｅｄ）であるが、その代わりにレファレンスグラウンドとして使用される。手が離れると、その部分は再び活性化（ｒｅ−ａｃｔｉｖａｔｅｄ）する。米国特許第６，１３７，４２７号のスキャン装置は、絶えず環境条件に適合し、したがって、携帯電話の用途のために修正されることができる。
【０１０６】
いくつかの好ましい実施形態において、導電媒体４が膜３より大きく、少なくとも膜３の逆側の一部を覆うように膜３の周りを包むことができる。導電媒体４はまた、リファレンスグラウンドとして作用する。
【０１０７】
スキャン機構の残りの機能は、引用された文書においてよく述べられており、ここでは議論しない。
【０１０８】
好ましい実施形態において、本発明の接触パッドは、接触パッドが接触された正確な時間を指し示すために用いられる検知回路に接続される。検知回路は、導電層４上に電圧を誘導し、または電圧を変化させる。接触パッドと検知回路の組合せは、従来技術システムよりもかなり速い非常に迅速な接触検出を可能にする。本発明において、接触の時間は、米国特許第６，１３７，４２７号の接触検出システムの約１０ミリ秒に対して、約２マイクロ秒から約３マイクロ秒の範囲内で検出される。これは、検出応答時間において約１０００倍の増加に達するが、この原因は、米国特許第６，１３７，４２７号の装置は、接触動作が起こった場合、検知する前に接触パッドの完全なスキャンを行うからである。また一方、米国特許第６，１３７，４２７号のスキャン装置は、接触の正確な位置を決定することが必要とされる。
【０１０９】
検知回路は、好ましくは図２３に示すように、接触検出回路９と、起動回路１０とを備え、検出回路は通常休止（ｓｌｅｅｐｉｎｇ）しており（すなわち、スタンバイ・モード）、周期的に接触パッドの状態を測定するために起動する。
【０１１０】
接触検出回路９は、好ましくは導電層４に接続される。接触動作に応答して、接触検出回路９は、スリープ・モードに有る場合に検知回路を起動させる起動回路１０に信号を送り、それから接触位置を判定するためにプロセッサ１２および位置検出回路１１を介して表面をスキャンする。検出回路は、好ましくは、起動時には約２ミリアンペアを消費し、通常の休止時には１０マイクロアンペアを消費する。それゆえに、必要電力の１００倍の減少により、応答時間を潜在的に１０００倍増加させることが可能となる。検知回路は、したがって、たとえば太陽電池または小さな電池によって電力を供給されることができる。
【０１１１】
導電性で、アース／接地され、またはアクティブなバックプレーン（ｂａｃｋｐｌａｎｅｓ）（図示せず）が、好ましくは本発明の接触パッドに取り入れられる。導電層とそのようなバックプレーンの間には、この２つの間での短絡を防止するために、絶縁層が必要とされる。
【０１１２】
バックプレーンは、グラウンドまたはアクティブなバックプレーンドライバー（ａｃｔｉｖｅ  ｂａｃｋｐｌａｎｅ  ｄｒｉｖｅｒ）に接続される必要があり、そして一般的に、本発明の接触パッドの導電層４の抵抗値の好ましい範囲と比較して、非常に低い抵抗値を有する必要がある。帯電防止シールドはアースに接続されることが必要であり、さもなければ、帯電が蓄積され、その帯電防止シールドとしての機能が減弱させる。正しく作動させるために、帯電防止シールドは、本発明の接触パッドの導電層４の抵抗値の好ましい範囲と比較して、非常に高い抵抗値を有することを必要とする。
【０１１３】
本発明の更なる用途は、両側で独立して接触されることが可能な固体状態の接触インタラクティブなシートとしてである。このシートは、好ましくは一対の導電層に挟まれる接地された、またはアクティブなバックプレーンを有することができる。
【０１１４】
多くの独立した接触システムは、また、単一の表面に存在することができ、そして、単一の表面内に構成される複数の電子決済ＰＯＳ機構を有する実質的に平坦なショップカウンタ（ｓｈｏｐ  ｃｏｕｎｔｅｒ）を作るために使用されることができる。近接する機構間のいかなる可能性のある干渉をも避けるために、アースまたは接地されたバックプレーンは、好ましくは各々の機構間に組み入れられる。
【０１１５】
図５の実施形態に関して述べられるような、適切なドーピングされたプラスチックが使用される場合、導電性の支持検知層４Ａは、好ましくはさらにスピーカーのための共振表面として使われることができる。この機能は、表面が接触される間、すなわち接触パッドとして動作する間一時的に停止され、そして接触動作の完了に続いて回復し、これによりもう一度音声を生成する。本出願のための適切なスピーカードライバ技術は、ＮＸＴシステムである。
【０１１６】
加えて、導電性の支持検知層４Ａがマイクロフォン、例えば、逆のＮＸＴシステムを用いたマイクロフォンとして使用されることができる。
【０１１７】
本発明の接触パッドの更なる実施形態において、薄く柔軟な表示層が、接触パッドの層として含まれることができる。これは、接触インタラクティブな表示システムを提供する。表示層のための適切な技術は、電子インク（ｅ−ｉｎｋ）、有機発光ディスプレイ（ｏｌｅｄ：ｏｒｇａｎｉｃ  ｌｉｇｈｔ  ｅｍｉｔｔｉｎｇ  ｄｉｓｐｌａｙｓ）、および発光ポリマー（ｌｅｐｓ：ｌｉｇｈｔ  ｅｍｉｔｔｉｎｇ  ｐｏｌｙｍｅｒｓ）を含むが、これらに限定されるものではない。
【０１１８】
本発明の接触パッドの他の用途は、２つ検知導線が（図２６に示すような）バック（Ｂａｃｋ）の形体で導電層によって容量的にリンクされる単純なスライド機構を有し、そこにおいて、ユーザはスライドスイッチの動作を再現するトラックに沿って、前後に指を動かす。トラックは、好ましくは幅約１ｃｍで長さ約１０ｃｍであり、約１０ｋΩ／スクエアの抵抗値を有する。抵抗値はより長いトラックにより減少されることができ、および／または、更なる検知導線がトラックに沿って設置される（図２７参照）。
【０１１９】
他の応用例は、例えばマウスのような、コンピュータのための単純な入力装置である。好ましくは、少なくとも３つの検知導線が三角形構成で配置され、導電性フィルムの形で、導電層によって容量的にリンクされる（図２８参照）。三角形の検知領域の近傍の範囲内のユーザの指の動きが、検知導線に参照されて補間位置を生じさせ、これは表示画面上のカーソルの動きを制御するためにコンピュータに供給されることができる。より複雑なマウス、トラックボール（ｔｒａｃｋｅｒｂａｌｌ）、またはカーソル制御装置は、更なる検知導線を使用することができ（図２９参照）、そして図１に関連して説明したように、検知導線２のアレイを備える（図３０参照）。
【０１２０】
また、入力装置の複数の用途を単一の装置に結合することも可能であり、そうすると、一つ以上の接触検知領域の機能は、ソフトウェア・コントローラの動作の下で、マウスとして操作から、キーボード、スライドスイッチ、制御スイッチ、またはデジタイザ・タブレット等へ変更されることができる。
【０１２１】
図３１にて図示されるように、キーパッドの用途としてたとえば、導線の接触感度を強化するために、特定の領域が関連する導線の電界を膜の対応する領域へ集中させるよう各々の導線が異なる導電領域７に関係するように、接触パッドの検知導線２が配置されることができる。
【０１２２】
本発明の接触パッドが、例えばラップトップコンピュータのような携帯型計算機のケースに取り付けられる場合、接触パッドは、非常に効果的で、頑丈で、そして安価なラップトップ・マウスを実現する。
【０１２３】
本発明の接触パッドは、接触検出システムの迅速な容量環境を変更することによって、指の接触または近接を検出するために理想的であるにもかかわらず、この原理は、容量性近接検知装置（ｃａｐａｃｉｔｉｖｅ  ｐｒｏｘｉｍｉｔｙ  ｓｅｎｓｉｎｇ  ｄｅｖｉｃｅｓ）および接触検出システム（ｔｏｕｃｈ  ｄｅｔｅｃｔｉｏｎ  ｓｙｓｔｅｍｓ）の他の型式に広げることができると認められる。
【０１２４】
他の実施形態もまた、特許請求の範囲の範囲内に属する。
【図面の簡単な説明】
【０１２５】
【図１】接触パッドのための検知電線構成の平面図を示す。
【図２】図１の接触パッドのレイアウトを通ってＡ−Ｂ線に沿う従来の接触パッドの側断面図を示す。
【図３】図１の接触パッドのレイアウトを通ってＡ−Ｂ線に沿う本発明の接触パッドの他の実施形態を示す側断面図である。
【図４】図１の接触パッドのレイアウトを通ってＡ−Ｂ線に沿う本発明の接触パッドの他の実施形態を示す側断面図である。
【図５】図１の接触パッドのレイアウトを通ってＡ−Ｂ線に沿う本発明の接触パッドの他の実施形態を示す側断面図である。
【図６】図１の接触パッドのレイアウトを通ってＡ−Ｂ線に沿う本発明の接触パッドの他の実施形態を示す側断面図である。
【図７】図１の接触パッドのレイアウトを通ってＡ−Ｂ線に沿う本発明の接触パッドの他の実施形態を示す側断面図である。
【図８】図１の接触パッドのレイアウトを通ってＡ−Ｂ線に沿う本発明の接触パッドの他の実施形態を示す側断面図である。
【図９】図１の接触パッドのレイアウトを通ってＡ−Ｂ線に沿う本発明の接触パッドの他の実施形態を示す側断面図である。
【図１０】図１の接触パッドのレイアウトを通ってＡ−Ｂ線に沿う本発明の接触パッドの他の実施形態を示す側断面図である。
【図１１】図１の接触パッドのレイアウトを通ってＡ−Ｂ線に沿う本発明の接触パッドの他の実施形態を示す側断面図である。
【図１２】本発明の誘電体の表面上の電気的に絶縁した導電領域の構成を示す平面図である。
【図１３】図１２のＡ−Ｂ線に沿う構成を示す側断面図である。
【図１４】本発明の誘電体の表面上の電気的に絶縁した導電領域の他の構成を示す平面図である。
【図１５】図１４のＡ−Ｂ線に沿う構成を示す側断面図である。
【図１６】本発明に記載の誘電体の第１および第２表面上の電気的に絶縁した導電領域の更なる構成を示す平面図である。
【図１７】図１６のＡ−Ｂ線に沿う構成を示す側断面図である。
【図１８】本発明の接触パッドと共に用いられるための伝導性ブリッジに接続された伝導領域のパターンの平面図を示す。
【図１９】本発明の実施形態の接触パッドの構成を示す側断面図である。
【図２０】本発明の実施形態の接触パッドの構成を示す側断面図である。
【図２１】本発明の一実施形態の接触パッドの構成を示す部分側断面図であり、テクスチャ表面を示す。
【図２２】本発明の接触パッドの接地された導電媒体の概略図を示す。
【図２３】本発明の接触パッドを用いた検出システムの概略的な実施形態を示す。
【図２４】本発明の他の実施形態の接触パッドの構成を示す側断面図であり、接触パッドの間隔またはギャップを示す。
【図２５】本発明の一実施形態の接触パッドの他の構成を示す斜視図である。
【図２６】本発明の実施形態の他の接触パッドの構成を示す平面図である。
【図２７】本発明の実施形態の他の接触パッドの構成を示す平面図である。
【図２８】本発明の実施形態の他の接触パッドの構成を示す平面図である。
【図２９】本発明の実施形態の他の接触パッドの構成を示す平面図である。
【図３０】本発明の実施形態の他の接触パッドの構成を示す平面図である。
【図３１】本発明の実施形態の他の接触パッドの構成を示す平面図である。
【図１】
0004714144.tif 000002
【図２】
0004714144.tif 000003
【図３】
0004714144.tif 000004
【図４】
0004714144.tif 000005
【図５】
0004714144.tif 000006
【図６】
0004714144.tif 000007
【図７】
0004714144.tif 000008
【図８】
0004714144.tif 000009
【図９】
0004714144.tif 000010
【図１０】
0004714144.tif 000011
【図１１】
0004714144.tif 000012
【図１２】
0004714144.tif 000013
【図１３】
0004714144.tif 000014
【図１４】
0004714144.tif 000015
【図１５】
0004714144.tif 000016
【図１６】
0004714144.tif 000017
【図１７】
0004714144.tif 000018
【図１８】
0004714144.tif 000019
【図１９】
0004714144.tif 000020
【図２０】
0004714144.tif 000021
【図２１】
0004714144.tif 000022
【図２２】
0004714144.tif 000023
【図２３】
0004714144.tif 000024
【図２４】
0004714144.tif 000025
【図２５】
0004714144.tif 000026
【図２６】
0004714144.tif 000027
【図２７】
0004714144.tif 000028
【図２８】
0004714144.tif 000029
【図２９】
0004714144.tif 000030
【図３０】
0004714144.tif 000031
【図３１】
0004714144.tif 000032